(57)【要約】【課題】配線数を低減できる高周波増幅回路を提供する。【解決手段】高周波増幅回路は、入力信号の一部を分波する分波部と、分波された入力信号を検波する検波器と、検波器の出力によって駆動する電源スイッチ回路と、電源スイッチ回路の出力によってＯＮ／ＯＦＦ制御され、分波部からの入力信号を増幅する高周波増幅器と、を備える。分波部は、入力線路に沿って接置される共振部を備える方向性結合器及び分配器から一つ以上選ばれる。【選択図】図１
2014175789.tif 000002
【特許請求の範囲】
【請求項１】
入力信号の一部を分波する分波部と、
分波された前記入力信号を検波する検波器と、
前記検波器の出力によって駆動する電源スイッチ回路と、
前記電源スイッチ回路の出力によってＯＮ／ＯＦＦ制御され、前記分波部からの入力信号を増幅する高周波増幅器と、
を備える高周波増幅回路。
【請求項２】
前記分波部は、
方向性結合器である請求項１記載の高周波増幅回路。
【請求項３】
前記分波部は、
分配器である請求項１記載の高周波増幅回路。
【発明の詳細な説明】
【技術分野】
【０００１】
本発明の実施形態は、高周波増幅回路に関する。
【背景技術】
【０００２】
従来の高周波増幅回路は、入力した高周波信号を増幅して出力する高周波増幅器と、この高周波増幅器に電力を供給するスイッチング素子と、入力した制御信号に基づいてスイッチング素子を駆動させるドライバと、を備える。すなわち、高周波増幅器のＯＮ／ＯＦＦ制御は、制御信号によって行われる。
【０００３】
この高周波増幅回路は、例えばアクティブフェーズドアレイアンテナなどにも用いられる。このアクティブフェーズドアレイアンテナは、多数のアンテナ素子をアレイ状に配列して備える。アンテナ素子は、アンテナ素子ごとに高周波増幅回路を備える。
【０００４】
従って、従来の高周波増幅回路をアクティブフェーズドアレイアンテナに用いると、アンテナ素子ごとに制御信号を伝達しなければならないため、配線数が大きなものとなっていた。
【先行技術文献】
【特許文献】
【０００５】
【特許文献１】特開２０１０−２１２９３６号公報
【発明の概要】
【発明が解決しようとする課題】
【０００６】
従って、配線数を低減できる高周波増幅回路が求められている。
【課題を解決するための手段】
【０００７】
上記の課題を解決するために、本発明の一実施形態は、入力信号の一部を分波する分波部と、分波された入力信号を検波する検波器と、検波器の出力によって駆動する電源スイッチ回路と、電源スイッチ回路の出力によってＯＮ／ＯＦＦ制御され、分波部からの入力信号を増幅する高周波増幅器と、を備える高周波増幅回路を提供する。
【図面の簡単な説明】
【０００８】
【図１】高周波増幅回路の構成を示す図である。
【図２】方向性結合器の例を示す図である。
【図３】応用例に係る高周波増幅回路の構成を示す図である。
【図４】分配器の例を示す図である。
【発明を実施するための形態】
【０００９】
以下、高周波増幅器の一実施形態について、図面を用いて詳細に説明する。
【００１０】
本実施形態の高周波増幅回路は、入力信号の一部を分波する分波部と、分波された入力信号を検波する検波器と、検波器の出力によって駆動する電源スイッチ回路と、電源スイッチ回路の出力によってＯＮ／ＯＦＦ制御され、分波部からの入力信号を増幅する高周波増幅器と、を備える。
【００１１】
図１は、本実施形態の高周波増幅回路１の構成を示す図である。図１に示すように、高周波増幅回路１は、入力信号の一部を分波する方向性結合器１１と、分波された入力信号を検波する検波器１２と、検波器１２の出力によって駆動する電源スイッチ回路１３と、電源スイッチ回路１３の出力によってＯＮ／ＯＦＦ制御され、方向性結合器１１からの入力信号を増幅する高周波増幅器１４と、を備える。
【００１２】
検波器１２は、方向性結合器１１によって分波された高周波信号を、電源スイッチ回路１３を駆動させるのに十分な直流電圧の制御信号に変換する。
【００１３】
電源スイッチ回路１３は、電源に接続されたＦＥＴ（電界効果トランジスタ）などのスイッチング素子を備える。このスイッチング素子は、検波器１２から出力された制御信号によって駆動される。
【００１４】
高周波増幅器１４は、電源スイッチ回路１３から電力が供給され、入力信号を増幅する。
【００１５】
従って、高周波増幅回路１は次のように動作する。入力信号があった場合、方向性結合器１１は入力信号の一部を分波し、検波器１２に出力する。検波器１２は入力信号を検波し、制御信号を生成する。電源スイッチ回路１３はこの制御信号に基づいて電力を高周波増幅器１４に供給する。高周波増幅器１４は供給された電力によって入力信号を増幅する。
【００１６】
入力信号がない場合、制御信号は生成されず、電源スイッチ回路１３は高周波増幅器１４に電力を供給しない。従って、高周波増幅器１４は入力信号を増幅しない。
【００１７】
図２は、方向性結合器１１の例を示す図である。図２に示すように、方向性結合器１１は、一端が接地部１１Ａに接地する終端抵抗１１Ｂと、一端が終端抵抗１１Ｂに接続し、入力信号線１０に沿って配置される共振部１１Ｃと、を備える。
【００１８】
方向性結合器１１は、共振部１１Ｃによって分波された入力信号を出力する。
【００１９】
図３は、応用例に係る高周波増幅回路１の構成を示す図である。図３に示すように、高周波増幅回路１は、入力信号の一部を分波する分配器３１と、分波された入力信号を検波する検波器１２と、検波器１２の出力によって駆動する電源スイッチ回路１３と、電源スイッチ回路１３の出力によってＯＮ／ＯＦＦ制御され、分配器３１からの入力信号を増幅する高周波増幅器１４と、を備える。
【００２０】
検波器１２は、分配器３１によって分波された高周波信号を、電源スイッチ回路１３を駆動させるのに十分な直流電圧の制御信号に変換する。
【００２１】
電源スイッチ回路１３は、電源に接続されたＦＥＴ（電界効果トランジスタ）などのスイッチング素子を備える。このスイッチング素子は、検波器１２から出力された制御信号によって駆動される。
【００２２】
高周波増幅器１４は、電源スイッチ回路１３から電力が供給され、入力信号を増幅する。
【００２３】
従って、高周波増幅回路１は次のように動作する。入力信号があった場合、分配器３１は入力信号の一部を分波し、検波器１２に出力する。検波器１２は入力信号を検波し、制御信号を生成する。電源スイッチ回路１３はこの制御信号に基づいて電力を高周波増幅器１４に供給する。高周波増幅器１４は供給された電力によって入力信号を増幅する。
【００２４】
入力信号がない場合、制御信号は生成されず、電源スイッチ回路１３は高周波増幅器１４に電力を供給しない。従って、高周波増幅器１４は入力信号を増幅しない。
【００２５】
図４は、分配器３１の例を示す図である。図４に示すように、分配器３１は、入力信号線１０に接続される第１の出力信号線３１Ｂ及び第２の出力信号線３１Ｃと、一端が第１の出力信号線３１Ｂに接続し、他端が第２の出力信号線３１Ｃに接続する抵抗器３１Ａとを備える。
【００２６】
入力信号線１０から入力した高周波信号は、第１の出力信号線３１Ｂ及び第２の出力信号線３１Ｃから分波されて出力される。
【００２７】
以上述べたように、本実施形態の高周波増幅回路１は、入力信号の一部を分波する分波部と、分波された入力信号を検波する検波器１２と、検波器１２の出力によって駆動する電源スイッチ回路１３と、電源スイッチ回路１３の出力によってＯＮ／ＯＦＦ制御され、分波部からの入力信号を増幅する高周波増幅器１４と、を備える。
【００２８】
従って、外部からの制御信号を供給する配線が不要となるため、配線数を低減できるという効果がある。
【００２９】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３０】
１１：方向性結合器
１２：検波器
１３：電源スイッチ回路
１４：高周波増幅器
３１：分配器
【図１】
2014175789.tif 000003
【図２】
2014175789.tif 000004
【図３】
2014175789.tif 000005
【図４】
2014175789.tif 000006